(57)【要約】      （修正有）【課題】煙の検知感度を適切に変更することができる移動式の煙検知装置を提供する。【解決手段】移動しながら吸引した空気中に含まれる煙の検知が可能な移動式の煙検知装置１において、煙の検知感度を低く変更する場合と高く変更する場合のどちらの場合にも操作される１つ操作部５ｃと、操作部５ｃが操作されたときの検知感度と検知される煙の濃度に対応して、検知感度をどのように変更するのかを判断する判断部とを備えることを特徴とする。【選択図】図１
2019021020.tif 000002
【特許請求の範囲】
【請求項１】
移動しながら吸引した空気中に含まれる煙の検知が可能な移動式の煙検知装置において、
煙の検知感度を低く変更する場合と高く変更する場合のどちらの場合にも操作される１つの操作部と、前記操作部が操作されたときの検知感度と検知される煙の濃度に対応して、検知感度をどのように変更するのかを判断する判断部とを備えることを特徴とする移動式の煙検知装置。
【請求項２】
前記判断部は、検知される煙の濃度が検知感度に対応して設定される所定の濃度以上である場合には検知感度を低く変更するように判断し、検知される煙の濃度が検知感度に対応して設定される所定の濃度以下である場合には検知感度を高く変更するように判断することを特徴とする請求項１に記載の移動式の煙検知装置。
【請求項３】
前記判断部は、検知される煙の濃度が検知感度に対応して設定される所定の濃度範囲内にある場合には感度を変更しないように判断することを特徴とする請求項１又は２に記載の移動式の煙検知装置。
【発明の詳細な説明】
【技術分野】
【０００１】
この発明は、移動しながら吸引した空気中に含まれる煙の検知が可能な移動式の煙検知装置に関する。
【背景技術】
【０００２】
従来、火災をその予兆段階から検知するためのものとして、防護領域の空気をサンプリング管を介して吸引し、その空気中に含まれる煙を検知する吸引式煙検知装置が用いられている。
【０００３】
吸引式の煙検知装置は、一般的には、防護領域の天井、壁、床下等に固定のものとして設けられており、防護領域の空気を吸引するためのサンプリング管を備え、そのサンプリング管を介して吸引した空気中に含まれる煙を光学的に検知することができるようになっている（例えば、特許文献１参照）。
【０００４】
この種の吸引式の煙検知装置は、吸引式ではない煙感知器や煙検知装置に比べて煙をより高感度で検知することができ、例えば、多数の情報機器のある施設（コンピュータ室、サーバ室、インターネットデータセンター等）やクリーンルーム等の空調設備による常時循環気流の存在する施設に設置されている。そして、火災を極めて初期の予兆段階から捉えて対処できるようにするために、煙が肉眼では確認できないような段階のものであっても、それを検知することができる程の高感度の設定で設置されている。
【０００５】
しかしながら、そのような高感度の設定で設置されていることにより、火災を予兆段階から捉えることができ、いち早く対処することが可能にはなるものの、検知した煙が肉眼では確認できない段階のものであると、その発生位置を肉眼では特定することができない。
【０００６】
そこで、特許出願人は先に、煙の発生位置を特定することができる移動式の煙検知装置を提案している（例えば、特許文献２参照）。この移動式の煙検知装置は、可搬とした吸引式の煙検知装置本体と、その本体に対して移動可能に接続したサンプリング管とを備えており、煙濃度を確認しながら、煙検知装置本体やサンプリング管を移動させることにより、肉眼では確認できない段階の煙であっても、その発生位置を探索することができるようになっている。
【０００７】
なお、吸引式の煙検知装置は、情報機器の冷却用に設置されている空調設備の冷媒ガスの漏れ等の検知にも使用することができる。
【先行技術文献】
【特許文献】
【０００８】
【特許文献１】特許第３６４８３０７号公報
【発明の概要】
【発明が解決しようとする課題】
【０００９】
ところで、吸引式の煙検知装置は、検知される煙の濃度（例えば、減光率煙濃度（％／ｍ））レベルを表示するバーグラフ等の表示部を備えており、操作者は、その表示部から煙の濃度レベルを直感的に認識することができるようになっている。
【００１０】
しかしながら、表示部の表示レンジは、予め設定した検知感度に対応するため、移動しながら煙の発生位置を探索する際、煙の発生位置から離れていても、検知される煙の濃度が高過ぎて、バーグラフ等の表示部が全て点灯し、表示レンジの最高レベルを超えてしまうことがある。また、逆に、検知される煙の濃度が低過ぎて、バーグラフ等が全て消灯し、表示レンジの最低レベルを下回ってしまうこともあり、移動している方向が煙の発生位置に近寄っているのか、遠ざかっているのか、分からなくなってしまうこともある。
【００１１】
そこで、煙の発生位置の探索中でも操作可能な位置に検知感度を変更する操作部を設け、予め設定した検知感度に対し、検知される煙の濃度が高過ぎたり低過ぎたりした際に、検知感度を適宜変更することができるようにすることが考えられるが、検知感度を変更する操作部として、低くするものと高くするものとを別々に設けた場合、その選択を誤ることによる誤操作が生じ易くなるという問題がある。また、操作部の選択以前にそもそも、検知感度を低くするべきなのか、高くするべきなのかを誤認することがあり、その誤認による誤操作も生じ得るという問題がある。
【００１２】
この発明は、上記の事情に鑑み、煙の検知感度を適切に変更することができる移動式の煙検知装置を提供することを目的とする。
【課題を解決するための手段】
【００１３】
この発明は、移動しながら吸引した空気中に含まれる煙の検知が可能な移動式の煙検知装置において、煙の検知感度を低く変更する場合と高く変更する場合のどちらの場合にも操作される１つの操作部と、前記操作部が操作されたときの検知感度と検知される煙の濃度に対応して、検知感度をどのように変更するのかを判断する判断部とを備えることを特徴とする移動式の煙検知装置である。
【００１４】
また、この発明は、前記判断部は、検知される煙の濃度が検知感度に対応して設定される所定の濃度以上である場合には検知感度を低く変更するように判断し、検知される煙の濃度が検知感度に対応して設定される所定の濃度以下である場合には検知感度を高く変更するように判断することを特徴とする移動式の煙検知装置である。
【００１５】
また、この発明は、前記判断部は、検知される煙の濃度が検知感度に対応して設定される所定の濃度範囲内にある場合には感度を変更しないように判断することを特徴とする移動式の煙検知装置である。
【発明の効果】
【００１６】
この発明においては、１つの操作部を操作することにより、煙の検知感度を低く変更することもできるし、高く変更することもできる。また、その際、判断部により、煙の検知感度をどのように変更するのかを適切に判断させることができる。これにより、煙の検知感度を変更する操作をする際に、操作部の選択を誤ったり、煙の検知感度をどのように変更するべきかを誤認したりすることによる誤操作が生じるのを防ぐことができる。
【００１７】
したがって、この発明によれば、煙の検知感度を適切に変更することができる移動式の煙検知装置を提供することができる。
【図面の簡単な説明】
【００１８】
【図１】この発明の煙検知装置の実施形態の一例を示し、サンプリング管と保持部であるストラップとが接続された状態における装置全体の上面図である。
【図２】同上を示し、収納ケースに収納した状態の煙検知装置本体の上面図である。
【図３】防護空間の一例である電算機室内において、この発明の煙検知装置により煙の発生位置を探索する際の様子を示した説明図である。
【発明を実施するための形態】
【００１９】
この発明の煙検知装置の実施形態について、煙検知装置本体が空気を吸引するためのサンプリング管と共に可搬であり、移動しながら煙の検知が可能な移動式の煙検知装置に適用する場合を例として、図１乃至図３に基づいて説明する。
【００２０】
まず、煙検知装置１全体の基本構成について、図１を参照しつつ説明する。
【００２１】
煙検知装置１は、図１に示したように、先端側に空気を吸引するためのサンプリング孔４ａを有すると共に、基端側に把持部４ｂを有するサンプリング管４と、サンプリング管４の基端側が可撓管３を介して接続され、サンプリング管４を介して吸引した空気中に含まれる煙を検知する吸引式の煙検知装置本体５と、煙検知装置本体５を収納する収納ケース７と、煙検知装置本体５を収納した状態の収納ケース７を操作者の身体に袈裟懸けに保持するためのストラップ８とを備えている。なお、電源（例えば、リチウムイオン二次電池等）は、煙検知装置本体５に内蔵されている。
【００２２】
この煙検知装置１は、前記の通り移動式であり、操作者がストラップ８により煙検知装置本体５等が収納される収納ケース７を保持すると共に、サンプリング管４を把持し、その状態で煙検知装置１全体を移動させたり、サンプリング管４自体を移動させたりしながら、煙の検知をすることができるものであり、それにより煙の発生位置を探索することができるものである。
【００２３】
なお、本実施形態の場合、サンプリング管４を、先端側を任意の方向に可動とするフレキシブル部４ｃを有するものとしており、また、可撓管３を、軟質の樹脂製のものとしている。これにより、サンプリング管４は、先端側が任意の方向に向くように変形させたり、全体を煙検知装置本体５に対して自由に移動させたりすることができるようになっている。
【００２４】
次に、煙検知装置本体５の詳細について、図２を参照しつつ説明する。
【００２５】
煙検知装置本体５は、吸引式のものであり、図示は省略するが、その筐体内部に、煙を光学的に検知するための煙検出ユニットと、空気をサンプリング管４を介して煙検出ユニット内の検煙部を通過させるためのファンとを備えており、吸引した空気が検煙部を通過する際に、その空気中に煙が含まれていると、それを光学的に検知するものである。なお、煙検知装置本体５において、煙検出ユニットは煙を光学的に検知するための受光素子と発光素子とを有しているが、その発光素子の光源としてレーザを用いることにより、非常に高い感度で煙を検知することが可能である。
【００２６】
また、煙検知装置本体５は、図２に示したように、その筐体本体の上面に各種表示部が設けられる動作表示部５ａを備えている。動作表示部５ａは、各種表示部により煙検知装置本体５の各種動作状態を表示する。なお、収納ケース７には、動作表示部５ａに対応する位置に窓部７ａが設けられており、動作表示部５ａは、煙検知装置本体５が収納ケース７に収納されている状態でも、その窓部７ａを介して動作表示部５ａの各種表示部を視認できるようになっている。
【００２７】
動作表示部５ａには、表示部の１つとして、煙検出ユニットにより検知される煙の濃度レベルを表示するレベル表示部（表示部の一例）５ｂが設けられている。レベル表示部５ｂは、操作者に濃度レベルを直観的に認識させることができるように、バーグラフ（ＬＥＤレベルメータ）により濃度レベルを段階表示（点灯）する。煙検出ユニットにおける煙の検知レンジ自体は、非常に低い（薄い）煙濃度から高い（濃い）煙濃度までの広いレンジを有しているが、レベル表示部５ｂが表示する煙の濃度レベルの表示レンジは、適宜設定可能な検知感度に対応する。すなわち、レベル表示部５ｂは、各検知感度に対応する表示レンジで煙の濃度レベルを表示し、検知感度が高いほど、より低い濃度の範囲内で煙の濃度レベルを表示する一方、検知感度が低いほど、より高い濃度の範囲内で煙の濃度レベルを表示する。
【００２８】
レベル表示部５ｂは、図示の例の場合、バーグラフとして１０段階表示のものを用いており、各検知感度に対応する表示レンジで煙の濃度レベルを１０段階表示する。具体的には、例えば、検知感度が「高」、「中」、「低」の３段階あるとして、検知感度が「高」のときのバーグラフ１段あたりの煙濃度が０．０２％／ｍであり、検知感度が「中」のときのバーグラフ１段あたりの煙濃度が０．０５％／ｍであり、検知感度が「低」のときのバーグラフ１段あたりの煙濃度が０．２％／ｍであれば、バーグラフは、検知感度が「高」のときには、０．０２〜０．２％／ｍの表示レンジで煙の濃度レベルを１０段階表示し、検知感度が「中」のときには、０．０５〜０．５％／ｍの表示レンジで煙の濃度レベルを１０段階表示し、検知感度が「低」のときには、０．２〜２．０％／ｍの表示レンジで煙の濃度レベルを１０段階表示する。このとき各検知感度の表示レンジの最高値以上を検知したとき、煙検知としてアラームを鳴動する。
【００２９】
煙検知装置本体５は、図示は省略するが、その筐体内部にレベル表示部５ｂであるバーグラフの表示を制御する制御部を備えている。制御部は、煙検出ユニットから出力される煙の濃度信号に基づき、検知される煙の濃度レベルを各検知感度に対応する表示レンジで段階表示するようにバーグラフの表示を制御する。
【００３０】
ここで、制御部は、バーグラフ１段あたりの煙濃度の設定・変更を制御して、バーグラフの表示レンジの設定・変更を制御する。バーグラフの表示レンジは、煙の検知感度に対応する。つまり、制御部は、煙の検知感度「高」「中」「低」（煙検知の値）を設定し、これを１０段階に等分することで、バーグラフ１段あたりの煙濃度を設定して、バーグラフの表示レンジを制御する。例えば、前記の例の場合、制御部は、検知感度を「高」、「中」、「低」として、それぞれの最高値を０．２％／ｍ、０．５％／ｍ、２．０％／ｍに設定し、それぞれ１０段階に等分することで、それぞれのバーグラフ１段あたりの煙濃度を０．０２％／ｍ、０．０５％／ｍ、０．２％／ｍに設定して、それぞれのバーグラフの表示レンジを０．０２〜０．２％／ｍ、０．０５〜０．５％／ｍ、０．２〜２．０％／ｍに制御する。
【００３１】
そして、煙検知装置本体５は、各種操作部を備えているが、検知感度を変更する際に、低く変更する場合と高く変更する場合のどちらの場合にも操作される１つの操作部として、本実施形態においては、図２に示したように、筐体上面の動作表示部５ａのレベル表示部５ｂ近傍の位置に、押圧操作されることにより操作部に煙の検知感度を変更させる感度調節スイッチ（平型ボタン）５ｃが設けられている。
【００３２】
さらに、煙検知装置本体５は、前記の感度調節スイッチ５ｃが押圧されたときに、煙の検知感度をどのように変更するのかを判断する判断部を備えている。本実施形態において、判断部は、制御部中に設けられており、制御部は、感度調節スイッチ５ｃが押圧操作されたときに、煙の検知感度をどのように変更するのかを判断部により判断した上で、その変更を制御する。
【００３３】
なお、動作表示部５ａには、本実施形態の場合、図２に示したように、各種表示部として、電源オンを表示する電源表示部５ｄ、警報を２段階で表示する警報表示部５ｅ、障害発生を表示する障害表示部５ｆ等も設けられている。
【００３４】
煙検知装置１は、煙検知装置本体５において、検知感度を変更する際に、低く変更する場合と高く変更する場合のどちらの場合にも同様に操作される１つの感度調節スイッチ５ｃと、その感度調節スイッチ５ｃが押圧されたときに、煙の検知感度をどのように変更するのかを判断する判断部を備えていることにより、操作をする人が検知感度を変更したいと感じたときに、１つの感度調節スイッチ５ｃを操作することにより、判断部により、煙の検知感度をどのように変更するのかを適切に判断したうえで変更させることができる。これにより、煙の検知感度を変更する操作をする際に、操作部の選択を誤ったり、煙の検知感度をどのように変更するべきかを誤認したりすることによる誤操作が生じるのを防ぐことができる。
【００３５】
煙検知装置１について、さらに詳細に説明する。
【００３６】
煙検知装置本体５において、判断部は、感度調節スイッチ５ｃが押圧操作されたときに、検知される煙の濃度が検知感度に対応して設定される所定の濃度以上である場合には検知感度を低く変更するように判断し、検知される煙の濃度が検知感度に対応して設定される所定の濃度以下である場合には検知感度を高く変更するように判断する。
【００３７】
具体的には、例えば、前記の例において、検知感度を低く変更するように判断する場合の所定の煙濃度をバーグラフにおける８段目（判断時点の検知感度に対応する表示レンジのバーグラフにおける８段目）に対応する濃度以上に設定し、検知感度を高く変更するように判断する場合の所定の煙濃度をバーグラフの３段目（判断時点の検知感度に対応する表示レンジのバーグラフにおける３段目）に対応する濃度以下に設定する。すなわち、検知感度を「高」から「中」に低く変更するように判断する場合の所定の煙濃度は０．１６％／ｍ以上に設定すると共に、検知感度を「中」から「低」に低く変更するように判断する場合の所定の煙濃度は０．４％／ｍ以上に設定し、一方、検知感度を「低」から「中」に高く変更するように判断する場合の所定の煙濃度は０．６％／ｍ以下に設定すると共に、検知感度を「中」から「高」に高く変更するように判断する場合の所定の煙濃度は０．１５％／ｍ以下に設定する。
【００３８】
この場合、判断部は、感度調節スイッチ５ｃが押圧操作されたときに、検知感度が「高」であり、かつ検知される煙の濃度が０．１６％／ｍ以上であれば、検知感度を「中」に低く変更するように判断する。制御部は、その判断に基づいて、検知感度を「中」に低く変更するように制御する。すなわち、レベル表示部５ｂの表示レンジを０．０５〜０．５％／ｍの濃度範囲に変更するように制御する。また、判断部は、感度調節スイッチ５ｃが押圧操作されたときに、検知感度が「中」であり、かつ検知される煙の濃度が０．４％／ｍ以上であれば、検知感度を「低」に低く変更するように判断する。制御部は、その判断に基づいて、検知感度を「低」に低く変更するように制御する。すなわち、レベル表示部５ｂの表示レンジを０．２〜２．０％／ｍの濃度範囲に変更するように制御する。一方、判断部は、感度調節スイッチ５ｃが押圧操作されたときに、検知感度「低」であり、かつ検知される煙濃度が０．６％以下であれば、検知感度を「中」に高く変更するように判断する。制御部は、その判断に基づいて検知感度を「中」に高く変更するように制御する。すなわち、レベル表示部５ｂの表示レンジを０．０５〜０．５％／ｍの濃度範囲に変更するように制御する。また、判断部は、感度調節スイッチ５ｃが押圧操作されたときに、検知感度「中」であり、かつ検知される煙濃度が０．１５％以下であれば、検知感度を「高」に高く変更するように判断する。制御部は、その判断に基づいて検知感度を「高」に高く変更するように制御する。すなわち、レベル表示部５ｂの表示レンジを０．０２〜０．２％／ｍの濃度範囲に変更するように制御する。
【００３９】
さらに、煙検知装置本体５において、判断部は、検知される煙の濃度が検知感度に対応して設定される所定の濃度範囲内にある場合には検知感度を変更しないように判断する。すなわち、判断時点の検知感度を維持するように判断する。
【００４０】
具体的には、例えば、前記の例において、検知感度を維持するように判断する所定の濃度範囲をバーグラフの４段目から７段目（判断時点の検知感度に対応する表示レンジのバーグラフにおける４段目から７段目）に対応する濃度範囲に設定する。すなわち、検知感度「高」を維持するように判断する場合の濃度範囲は０．０８〜０．１４％／ｍに設定し、検知感度を「中」に維持するように判断する場合の濃度範囲は０．２〜０．３５％／ｍに設定し、検知感度「低」を維持するように判断する場合の濃度範囲は０．８〜１．４％／ｍに設定する。
【００４１】
この場合、判断部は、感度調節スイッチ５ｃが押圧操作されたときに、検知感度が「高」であり、かつ検知される煙の濃度が０．０８〜０．１４％／ｍの範囲内にあれば、その時点の検知感度である「高」を維持するように判断する。制御部は、その判断に基づいて、感度調節スイッチ５ｃが押圧操作されていても、その時点の検知感度である「高」を維持するように制御する。また、判断部は、感度調節スイッチ５ｃが押圧操作されたときに、検知感度が「中」であり、かつ検知される煙の濃度が０．２〜０．３５％／ｍの範囲内にあれば、その時点の検知感度である「中」を維持するように判断する。制御部は、その判断に基づいて、感度調節スイッチ５ｃが押圧操作されていても、その時点の検知感度である「中」を維持するように制御する。さらに、判断部は、感度調節スイッチ５ｃが押圧操作されたときに、検知感度が「低」であり、かつ検知される煙の濃度が０．８〜１．４％／ｍの範囲内にあれば、その時点の検知感度である「低」を維持するように判断する。制御部は、その判断に基づいて、感度調節スイッチ５ｃが押圧操作されていても、その時点の検知感度である「低」を維持するように制御する。
【００４２】
次に、煙検知装置１により煙の発生位置を探索する際の具体的な態様の一例について、図３を参照しつつ説明する。
【００４３】
煙検知装置１は、移動式のものであるが、例えば、固定式の煙検知装置が設けられている防護空間において、固定式の煙検知装置が煙の発生を検知した後に、その煙の発生位置を探索するのに用いることができるものであり、具体的には、例えば、図３に示したように、固定式の煙検知装置１０が設けられている電算機室Ｒにおいて、固定式の煙検知装置１０が煙の発生を検知した後に、その煙の発生位置を探索するのに用いることができるものである。なお、電算機室Ｒ内には、空調機１３による常時循環気流が存在する（矢印参照）。
【００４４】
ここで、固定式の煙検知装置１０について、簡単に説明する。図３に示したように、固定式の煙検知装置１０は、空調機１３により循環される電算機室Ｒ内の空気を吸引するサンプリング管１２と、サンプリング管１２を介して吸引した空気中の煙を検知する吸引式の煙検知装置本体１１とを備えており、それらが電算機室Ｒに常時固定のものとして設けられている。なお、煙検知装置本体１１の機器構成等は、移動式の煙検知装置１における煙検知装置本体５のものと同様とすることができる。
【００４５】
そして、電算機室Ｒ内において、いずれかのラック１４内の電算機等から煙が発生すると、まずは固定式の煙検知装置１０が煙を検知する。検知した煙が肉眼では確認できない段階のものであると、煙の発生位置として特定することができるのは固定式の煙検知装置１０の防護範囲内までであるが、移動式の煙検知装置１を使用して煙の発生位置を探索することにより、その発生位置をより狭い範囲で特定することができる。
【００４６】
操作者は、具体的には、移動式の煙検知装置１を使用して煙の発生位置を探索する際、図３に示したように、煙検知装置本体５を収納した収納ケース７をストラップ８により身体に保持すると共に、サンプリング管４を把持し、その状態で煙を検知しながら、レベル表示部５ｂにより煙の濃度レベルが高くなる方へと、煙検知装置１全体やサンプリング管４全体を移動させたり、サンプリング管４のサンプリング孔４ａのある先端側をフレキシブル部４ｃにより移動させたりして、近づいていくことができる。
【００４７】
この際、 煙の発生位置に近づく過程で、予め設定した検知感度に対応するレベル表示部５ｂの表示レンジに対し、検知される煙の濃度が高過ぎたり低過ぎたりすることがある。しかしながら、操作者は、１つの感度調節スイッチ５ｃを同様に操作するだけで、判断部が煙の検知感度を低く変更するか、高く変更するかを、適切に判断するので、煙の検知感度を変更する操作をする際に、操作部の選択を誤ったり、煙の検知感度をどのように変更するべきかを誤認したりすることによる誤操作が生じるのを防ぐことができる。なお、移動式の煙検知装置１における探索開始時の検知感度（予め設定される検知感度）は「中」とすることができ、その「中」の検知感度は固定式の煙検知装置１０の検知感度よりも低いものとすることができる。それにより煙の発生位置を狭い範囲で特定することができる。
【００４８】
以上、この発明の実施形態の一例について説明したが、この発明は上記の実施形態に限定されるものではなく、種々の変更が可能である。
【００４９】
例えば、前記の実施形態においては、検知感度を低く変更するように判断する場合の所定の煙濃度をバーグラフの８段目に対応する煙濃度以上とし、検知感度を高く変更するように判断する場合の所定の煙濃度をバーグラフの３段目に対応する煙濃度以下とすることを例示したが、その設定は適宜変更できるようにしてもよい。例えば、前者の所定の煙濃度については、８段目よりも高いレベル（９段目等）に対応する煙濃度以上としてもよいし、逆に８段目よりも低いレベル（７段目等）に対応する煙濃度以上としてもよい。また、後者の所定の煙濃度については、３段目よりも低いレベル（２段目等）に対応する煙濃度以下としてもよいし、逆に３段目よりも高いレベル（４段目等）に対応する煙濃度以下としてもよい。なお、バーグラフとして段数のより多いものや少ないものを用いる場合は、それに応じて設定を適宜変更してもよいことはもちろんである。
【００５０】
さらに、前記の実施形態においては、判断部について、検知される煙の濃度が検知感度に対応して設定される所定の濃度範囲内にある場合には検知感度を維持する判断もするものを例示したが、その判断はしないものとしてもよい。すなわち、検知される煙の濃度が検知感度に対応して設定される所定の濃度以上である場合には検知感度を低く変更するように判断し、検知される煙の濃度が検知感度に対応して設定される所定の濃度以下である場合には検知感度を高く変更するように判断するだけのものとしてもよい。
【００５１】
また、検知される煙濃度が、検知感度を維持する所定の濃度範囲（前記の実施形態においては、バーグラフの４段目から７段目に対応する濃度範囲）と、検知感度を低く或いは高く変更するように判断する所定の煙濃度との間（バーグラフの３段目と４段目との間或いは７段目と８段目との間）を行ったり来たりする状態にある際に、検知感度を維持する所定の濃度範囲の最大値（バーグラフの７段目に対応する濃度）及び最小値（バーグラフの４段目に対応する濃度）に対応する濃度レベルにあるときに感度調節スイッチ５ｃが押圧操作された場合には、それを受け入れて検知感度を低く或いは高く変更する判断・制御の処理がされるようにしてもよい。
【００５２】
また、検知感度を光や音で表示するようにしてもよい。光により表示する場合、例えば、表示灯（電源表示部５ｄを使用してもよい）を検知感度「高」で早い点滅、検知感度「中」で点灯、検知感度「低」で遅い点滅させる等により表示するようにしてもよい。音により表示する場合、例えば、検知感度「高」で間隔の短い断続音、検知感度「中」で無音、検知感度「低」で間隔の長い断続音を発生させる等により表示するようにしてもよい。
【００５３】
なお、前記実施の形態では、移動式の煙検知装置を例に挙げて本発明を説明したが、煙以外の火災に基づく物理量を検知して火災を検知する移動式の火災検知装置、例えばガスセンサを利用した移動式の火災検知装置（ガス検知装置）にも本発明を適用することができる。また、火災検知に限定されず、防護領域内のその他の異常を検知する移動式の異常検知装置にも本発明を適用することができる。
【符号の説明】
【００５４】
１：煙検知装置（移動式）  ３：可撓管  ４：サンプリング管
４ａ：サンプリング孔  ４ｂ：把持部  ４ｃ：フレキシブル部
５：煙検知装置本体  ５ａ：動作表示部  ５ｂ：レベル表示部
５ｃ：感度調節スイッチ  ５ｄ：電源表示部  ５ｅ：警報表示部
５ｆ：障害表示部  ７：収納ケース  ７ａ：窓部  ８：ストラップ
１０：煙検知装置（固定式）  １１：煙検知装置本体
１２：サンプリング管  １３：空調機  １４：ラック
Ｒ：電算機室
【図１】
2019021020.tif 000003
【図２】
2019021020.tif 000004
【図３】
2019021020.tif 000005